(57)【要約】【課題】照明負荷の実際の調光レベルを表示するとともに、安価にできる調光装置を提供する。【解決手段】調光装置１は、照明負荷４と、手動操作に応じて照明負荷４の調光レベルに対応付けられた調光信号を出力する照明制御装置２と、調光信号に応じて照明負荷４に供給する出力電圧を変化させるとともに、出力電圧の有無の信号を出力する電圧調整装置３と、調光信号および出力電圧の有無の信号に応じて照明負荷４の調光レベルを表示する表示手段５を具備する。【選択図】図１
2005216538.tif 000002
【特許請求の範囲】
【請求項１】
照明負荷と；
手動操作に応じて照明負荷の調光レベルに対応付けられた調光信号を出力する照明制御装置と；
前記調光信号に応じて照明負荷に供給する出力電圧を変化させるとともに、当該出力電圧の有無の信号を出力する電圧調整装置と；
前記調光信号および前記出力電圧の有無の信号に応じて照明負荷の調光レベルを表示する表示手段と；
を具備していることを特徴とする調光装置。
【発明の詳細な説明】
【技術分野】
【０００１】
本発明は、照明負荷の調光レベルを表示する調光装置に関する。
【背景技術】
【０００２】
テレビスタジオや劇場等の照明負荷は、例えば調光操作卓から出力された調光信号により調光制御され、当該調光レベルが調光モニタ装置などにより表示されている。例えば、アップ・ダウンスイッチを用いて照明負荷の調光レベルを変化させると共に、アップ・ダウンスイッチに隣設したバーグラフディスプレイに調光レベルを表示させる照明制御装置が提案されている（例えば、特許文献１参照。）。この照明制御装置は、アップスイッチを操作すると、照明負荷の調光レベルがアップされると共にバーグラフディスプレイにアップ表示され、ダウンスイッチを操作すると、調光レベルがダウンされると共にバーグラフディスプレイにダウン表示させるものである。
【０００３】
また、複数の調光器から出力される調光出力をそれぞれモニタ側へ時分割伝送して、ＬＥＤにモニタする調光出力モニタ装置が提案されている（例えば、特許文献２参照。）。この調光出力モニタ装置は、調光器ごとに、平均値化回路を設け、平均値化回路により調光出力に近似した平均値を作り出し、その平均値からサンプリングするので、リアルタイムでの二線伝送方式によるモニタ表示が容易になるものである。
【特許文献１】実開平５−５９７９７号公報（第８頁、第２図）
【特許文献２】特開平５−８９９６６号公報（第３頁、第１図）
【発明の開示】
【発明が解決しようとする課題】
【０００４】
特許文献１は、アップ・ダウンスイッチの操作に応じて出力される調光信号に応じて調光レベルの変化が表示されると考えられるので、調光信号を入力して照明負荷を調光するサイリスタなどを具備した調光器が開放または短絡などの異常状態であると、実際の照明負荷の調光レベルを表示しないという問題がある。
【０００５】
また、特許文献２は、調光器ごとに調光出力データが二線式伝送線にてモニタ側へ時分割伝送されるので、データ伝送量が多く、この結果、リアルタイムに応じる速い伝送速度が必要となり、高速のデータ送受信装置が必要となって調光モニタ装置が高価になるという欠点を有する。
【０００６】
本発明は、照明負荷の実際の調光レベルを表示するとともに、安価にできる調光装置を提供することを目的とする。
【課題を解決するための手段】
【０００７】
請求項１に記載の調光装置の発明は、照明負荷と；手動操作に応じて照明負荷の調光レベルに対応付けられた調光信号を出力する照明制御装置と；前記調光信号に応じて照明負荷に供給する出力電圧を変化させるとともに、当該出力電圧の有無の信号を出力する電圧調整装置と；前記調光信号および前記出力電圧の有無の信号に応じて照明負荷の調光レベルを表示する表示手段と；を具備していることを特徴とする。
【０００８】
本発明において、特に言及しない限り、各構成は以下による。
【０００９】
照明負荷は、電球、放電ランプのいずれであってもよい。ここで、放電ランプの場合、放電ランプを付勢する点灯装置も照明負荷に包含される。また、点灯装置は、電圧調整装置に包含されていてもよく、電圧調整装置に入力される調光信号に応じて放電ランプを付勢するように構成されてもよい。
【００１０】
表示手段は、照明制御装置と一体的に設けられても、別体に設けられてもよい。また、表示手段は、照明負荷の調光レベルを例えばＬＥＤの明暗で表示してもよく、バーグラフディスプレイに表示してもよく、あるいは調光レベルを数値化して例えば０〜１００の範囲で数表示してもよく、その構成は、特に問わない。
【００１１】
本発明によれば、照明制御装置から出力された調光信号および電圧調整装置から出力された当該出力電圧の有無の信号により、表示手段に電圧調整装置の動作状況に応じた照明負荷の実際の調光レベルが表示される。また、電圧調整装置から表示手段に伝送される出力電圧の有無の信号は、例えば１ビットの信号とするなど小容量のデータ量とすることが可能であるので、データ伝送量が少なく、当該信号の伝送速度を比較的遅くしてもよい。
【発明の効果】
【００１２】
請求項１の発明によれば、表示手段は、照明制御装置から出力された調光信号および電圧調整装置から出力された当該出力電圧の有無の信号に応じて照明負荷の実際の調光レベルを表示するので、当該調光レベルの表示により、電圧調整装置の出力の開放や短絡などの故障の状況を認識することができる。また、電圧調整装置から表示手段に伝送される出力電圧の有無の信号の伝送速度を比較的遅くすることが可能で、必ずしも高速のデータ送受信装置を用いなくてもよく、調光装置を安価に提供することができる。
【発明を実施するための最良の形態】
【００１３】
以下、本発明の一実施の形態について、図面を参照して説明する。まず、本発明の第１の実施形態について説明する。
【００１４】
図１〜図３は、本発明の第１の実施形態を示し、図１は調光装置の構成ブロック図、図２は伝送データの説明図、図３は調光操作卓の概略斜視図である。
【００１５】
図１において、調光装置１は、照明制御装置２、電圧調整装置３、照明負荷４および表示手段としてのモニタ装置５を有して構成されている。
【００１６】
照明制御装置２は、照明負荷４の調光レベル（０〜１００％）に対応付けられたアドレスを有する調光信号例えばＤＭＸ信号を、共通の伝送線６を介して1ないし複数個の電圧調整装置３に出力し、伝送線７を介して各照明負荷４，…に対応した表示面１７ａ，…を有する１個のモニタ装置５に出力するように構成されている。ここで、調光信号が出力されない状態は、照明負荷４を消灯させるものである。そして、照明制御装置２は、フェーダ等の操作部１９ａ，…（図３参照。）に接続されており、操作部１９ａ，…の手動操作に応じて調光信号を出力するように構成されている。
【００１７】
電圧調整装置３は、それぞれ例えばサイリスタなどの位相制御素子（図示しない。）を具備している。そして、商用交流電源Ｖｓの交流電圧が入力され、この交流電圧を位相制御素子により位相制御して出力するように構成されている。すなわち、照明制御装置２から出力された調光信号に応じて出力電圧が例えば０Ｖ〜１００Ｖ（実効値）の範囲で変化され、電力線９を介して照明負荷４に供給するように構成されている。ここで、電圧調整装置３は、照明制御装置２からフル点灯（調光レベル１００％）の調光信号が出力されると、出力電圧を最大値例えば１００Ｖとする。これにより、照明負荷４は、全光点灯される。
【００１８】
また、電圧調整装置３は、出力電圧検出回路（図示しない。）を具備している。この出力電圧検出回路は、例えば、電圧調整装置３の出力端子間に接続された抵抗を有してなり、抵抗の両端間電圧を計測するように構成されている。そして、出力電圧検出回路が０Ｖ〜１００Ｖの有電圧を検出しているときに出力電圧の有りの信号を、出力電圧検出回路が出力電圧を検出しないときに出力電圧の無しの信号をモニタ装置５に出力するように構成されている。
【００１９】
そして、出力電圧の有無の信号は、伝送データ１０として伝送線８を伝播してモニタ装置５に伝送される。伝送データ１０は、図２に示すように、例えば、伝送データ１０の始まりを示すスタート部１１、伝送データ１０の制御または監視などのモードを示すモード部１２、伝送データ１０を出力した電圧調整装置３のアドレスを示すアドレス部１３、出力電圧の有無を示す監視データ部１４および伝送誤りを検出するためのチェックサムデータ部１５を有して形成されている。
【００２０】
そして、監視データ部１４において、出力電圧の有りの信号は、例えば「１」に設定され、出力電圧の無しの信号は、例えば「０」に設定される。出力電圧の有無の信号は、１ビット（ｂｉｔ）の信号に形成されるので、伝送データ１０の伝送量が少なくなる。これにより、所定期間における伝送線８を伝播する伝送データ１０の伝送速度を遅くすることができる。
【００２１】
図１において、照明負荷４は、例えば電球であり、電圧調整装置３から出力される出力電圧（０Ｖ〜１００Ｖ）に応じて、調光レベルが０〜１００％の範囲で変化される。そして、１個または複数個の照明負荷４が電力線９により１個の電圧調整装置３に接続されている。
【００２２】
そして、モニタ装置５は、照明制御装置２からそれぞれの電圧調整装置３に出力された調光信号が伝送線７を介して入力され、それぞれの電圧調整装置３の出力電圧の有無の信号が伝送線８を介して入力される。そして、当該調光信号および当該出力電圧の有無の信号に応じて、それぞれの電圧調整装置３に接続されている照明負荷４の調光レベルを個別に表示する表示部１７（図３参照。）を有して構成されている。
【００２３】
モニタ装置５は、図３に示すように、例えば調光操作卓１６に配設されている。すなわち、モニタ装置５は、モニタ装置本体（図示しない。）が調光操作卓１６の内部に収納され、表示部１７が操作面１６ａに露出するようにして、調光操作卓１６に配設されている。そして、表示部１７は、それぞれの電圧調整装置３に対応して、照明負荷４の調光レベルを個別に表示する表示面１７ａ〜１７ｄに形成されている。また、モニタ装置５は、照明負荷４の調光レベル（０〜１００％）を０〜１００の数字に対応づけて表示面１７ａ〜１７ｄに表示するように形成されている。
【００２４】
また、調光操作卓１６の内部には、照明制御装置２（図示しない。）が配設されている。そして、操作面１６ａには、モニタ装置５の表示部１７と横方向に並ぶようにして、調光操作部１８が形成されている。この調光操作部１８において、操作部としてのフェーダ１９ａ〜１９ｄがそれぞれの電圧調整装置３に対応して設けられている。また、フェーダ１９ａ〜１９ｄは、モニタ装置５の表示面１７ａ〜１７ｄにそれぞれ対応している。
【００２５】
そして、フェーダ１９ａ〜１９ｄは、可変抵抗器（図示しない。）に接続されている。フェーダ１９ａ〜１９ｄは、手動操作によって、調光操作部１８の下側の一端から上側の他端までの所定の操作範囲で移動されることにより、可変抵抗器の抵抗値を変化させる。そして、当該抵抗値に応じた電圧が発生することにより、照明制御装置２は、当該発生した電圧に応じて調光信号（ＤＭＸ信号）を出力するものである。当該発生する電圧と照明負荷４の調光レベルは、予め対応付けられている。すなわち、照明制御装置２は、フェーダ１９ａ〜１９ｄの手動操作に応じて照明負荷４の調光レベルに対応付けられた調光信号（ＤＭＸ信号）を出力する。
【００２６】
そして、フェーダ１９ａ〜１９ｄを調光操作部１８の下側の一端から上側の他端の方向に手動操作すると、照明制御装置２は、照明負荷４の調光レベルをアップさせるように、当該手動操作に応じた調光信号を出力する。すなわち、フェーダ１９ａ〜１９ｄが調光操作部１８の下側の一端に位置しているとき、照明負荷４の調光レベルは０％（消灯）であり、同じく上側の他端に位置しているとき、照明負荷４の調光レベルは１００％（全光点灯）となる。そして、モニタ装置５の表示面１７ａ〜１７ｄには、フェーダ１９ａ〜１９ｄの手動操作に応じた照明負荷４の調光レベルがそれぞれ表示される。そして、フェーダ１９ａ〜１９ｄが調光操作部１８の上側の他端に位置しているとき、照明制御装置２は、調光信号（１００％）を出力している状態となっており、このとき、電圧調整装置３は、最大値（１００Ｖ）の出力電圧を出力し、照明負荷４を全光点灯（１００％点灯）させる。
【００２７】
そして、複数個の電圧調整装置３ａ〜３ｄは、調光盤２０に収納されている。また、照明負荷４は、通常、照明器具２１に配設されている。そして、調光操作卓１６とそれぞれの電圧調整装置３ａ〜３ｄは、二線の伝送線６により接続されている。伝送線６は、図１に示す伝送線８を兼用している。
【００２８】
次に、本発明の第１の実施形態の作用について説明する。
【００２９】
図３において、フェーダ１９ａ〜１９ｄを調光操作部１８の下側の一端から上側の他端までの操作範囲で手動操作すると、調光操作卓１６内の照明制御装置２からフェーダ１９ａ〜１９ｄの操作範囲の位置に応じた調光信号（ＤＭＸ信号）が出力される。この調光信号には、フェーダ１９ａ〜１９ｄに対応したアドレスが付与されており、調光信号は、伝送線６を介してフェーダ１９ａ〜１９ｄに対応したそれぞれの電圧調整装置３ａ〜３ｄに伝送される。
【００３０】
電圧調整装置３ａ〜３ｄは、調光信号に応じて、商用交流電源Ｖｓの交流電圧を位相制御して照明負荷４に供給する。すなわち、照明負荷４には、調光信号に応じた０Ｖ〜１００Ｖの交流電圧が入力される。そして、照明負荷４は、当該交流電圧により調光点灯される。
【００３１】
そして、電圧調整装置３ａ〜３ｄは、出力電圧の有無の信号を図２に示す伝送データ１０で伝送線６により調光操作卓１６に配設されているモニタ装置５に送出する。モニタ装置５は、電圧調整装置３ａ〜３ｄから有電圧が出力されていると出力電圧の有りの信号が入力され、電圧調整装置３ａ〜３ｄから無電圧（０Ｖ）が出力されていると、すなわち、電圧調整装置３ａ〜３ｄから出力電圧が出力されていないと、出力電圧の無しの信号が入力される。
【００３２】
また、モニタ装置５は、伝送線７を介して、照明制御装置２から出力された調光信号が入力される。そして、モニタ装置５は、電圧調整装置３ａ〜３ｄから出力電圧の有りの信号が入力されていると、調光信号に対応付けられた照明負荷４の調光レベルを０〜１００の数値で、調光信号のアドレスに対応付けられた表示部１７の表示面１７ａ〜１７ｄにそれぞれ表示する。
【００３３】
そして、モニタ装置５は、フェーダ１９ａ〜１９ｄが調光操作部１８の下側の一端の位置に手動操作され、照明制御装置２から照明負荷４の調光レベルを０％（消灯）にする調光信号が出力されるとき、表示部１７の表示面１７ａ〜１７ｄに数字０を表示する。
【００３４】
また、モニタ装置５は、フェーダ１９ａ〜１９ｄが調光操作部１８の上側の他端の位置に手動操作され、照明制御装置２から調光信号（１００％）が出力される状態のとき、表示部１７の表示面１７ａ〜１７ｄに数字１００を表示する。すなわち、照明制御装置２から当該調光信号が出力されるとき、電圧調整回路３の出力電圧は最大値（１００Ｖ）となり、電圧調整装置３から出力電圧の有りの信号が出力され、照明負荷４は全光点灯され、その調光レベルは１００％である。
【００３５】
そして、モニタ装置５は、照明制御装置２から照明負荷４の調光レベルを０％（消灯）にする調光信号が入力されているときを除き、電圧調整装置３から出力電圧の無しの信号が入力されると、伝送データ１０のアドレスに対応する表示部１７の表示面１７ａ〜１７ｄに、照明負荷４の調光レベルを表す数字０〜１００と異なる数字や文字、例えば「９９９」、「ＸＸＸ」などを表示する。また、照明制御装置２から照明負荷４の調光レベルを０％（消灯）にする調光信号が入力されているとき、電圧調整装置３から出力電圧の有りの信号が入力されると、同じく、「９９９」、「ＸＸＸ」などを表示する。
【００３６】
電圧調整装置３から出力電圧の無しの信号が出力されている状態は、電圧調整装置３から照明負荷４に供給される電圧が出力されていない状態であり、例えば、サイリスタなどの位相制御素子が開放して、電圧調整装置３が故障している状態である。また、照明制御装置２から照明負荷４の調光レベルを０％（消灯）にする調光信号が出力されているときに、電圧調整装置３から出力電圧の有りの信号が出力されている状態は、例えば、サイリスタなどの位相制御素子が短絡して、照明負荷４が全光点灯している状態である。したがって、表示部１７の表示面１７ａ〜１７ｄにおいて、照明負荷４の調光レベルを表す数字０〜１００と異なる数字や文字が表示され、当該数字や文字を視認することにより、表示面１７ａ〜１７ｄに対応付けられた電圧調整装置３の故障が認識される。
【００３７】
そして、モニタ装置５は、照明制御装置２から出力される調光信号および電圧調整装置３から出力される出力電圧の有りの信号により、表示部１７の表示面１７ａ〜１７ｄに照明負荷４の調光レベルを表示するので、実際の調光レベルが表示される。すなわち、照明制御装置２から出力される調光信号のみによって照明負荷４の調光レベルを表示していると、電圧調整装置３が故障して出力電圧が出力されず、照明負荷４が消灯している状態においても、表示部１７の表示面１７ａ〜１７ｄに調光信号に応じた照明負荷４の調光レベルが表示されることになって、実際の照明負荷４の調光レベルと異なる表示をしているという不具合が発生する。
【００３８】
そして、出力電圧の有無の信号は、例えば「１」、「０」の１ビット（１ｂｉｔ）の信号で済むので、伝送線８にて伝送される伝送データ１０の伝送データ量が少なくなる。したがって、リアルタイムで伝送データ１０を伝送するときの伝送速度を遅くすることができる。これにより、伝送データ１０を高速で送信する送信装置および高速の送信データを受信する受信装置などを具備しなくてもよいので、調光装置１が安価に形成される。
【００３９】
次に、本発明の第２の実施形態について説明する。
【００４０】
図４は、本発明の第２の実施形態を示すモニタ装置の概略斜視図である。
【００４１】
図４に示すモニタ装置２２は、略四角形状のモニタ装置本体２３が連結管２４を介して天井面２５に吊り下げられ、表示部２６にフェーダ１９ａ〜１９ｄまたは電圧調整装置３ａ〜３ｄに対応付けられたバーグラフディスプレイ２７ａ〜２７ｄが形成されている。そして、連結管２４内には、伝送線７、伝送線８およびモニタ装置２２に駆動電源を供給させる電源線が挿通されている。モニタ装置２２は、照明制御装置２と別体となっている。
【００４２】
そして、モニタ装置２２は、バーグラフディスプレイ２７ａ〜２７ｄに実際の照明負荷４の調光レベルを表示する。そして、電圧調整装置３ａ〜３ｄが故障して、電圧調整装置３ａ〜３ｄから出力電圧の無しの信号が入力されると、電圧調整装置３ａ〜３ｄのアドレスに対応するバーグラフディスプレイ２７ａ〜２７ｄを消灯させるように構成されている。
【図面の簡単な説明】
【００４３】
【図１】本発明の第１の実施形態を示す調光装置の構成ブロック図。
【図２】同じく、伝送データの説明図。
【図３】同じく、調光操作卓の概略斜視図。
【図４】本発明の第２の実施形態を示すモニタ装置の概略斜視図。
【符号の説明】
【００４４】
１…調光装置
２…照明制御装置
３…電圧調整装置
４…照明負荷
５，２２…表示手段としてのモニタ装置
【図１】
2005216538.tif 000003
【図２】
2005216538.tif 000004
【図３】
2005216538.tif 000005
【図４】
2005216538.tif 000006